(57)【要約】【課題】十干および十二支の区分を明確にできる記号を採用することにより、本来の六十干支ができあがる陰陽五行説の意味を明確にすることができ、易学を万国共通化でき、東洋以外の国々でも共通して使用できるようにした干支表と、昭和を基本（中心）とした年干支の計算方法を提供する。を提供する。【解決手段】本発明に係る干支表は、十干の「甲、乙、丙、丁、戊、己、庚、辛、壬および癸」の１０個の文字に、「Ａ，ａ，Ｂ，ｂ，Ｃ，ｃ，Ｄ，ｄ，Ｅ，ｅ」の１０個のアルファベットをそれぞれ対応させ、十二支の「子、丑、寅、卯、辰、巳、午、未、申、酉、戌および亥」の１２個の文字に、「１，２，３，４，５，６，７，８，９，１０，１１，１２」の１２個の数字をそれぞれ対応させる。【選択図】図３
2010198052.tif 000002
【特許請求の範囲】
【請求項１】
十進法の統計に用いられる十干は陰陽の陽（＋）とし、五行説の五行が陰陽に分かれて１０個の型が形成された「甲、乙、丙、丁、戊、己、庚、辛、壬および癸」の１０個の文字で表し、十二進法の統計に用いられる十二支は陰陽の陰（−）とされる「子、丑、寅、卯、辰、巳、午、未、申、酉、戌および亥」の１２個の文字であり、これら十干および十二支が組み合わされていくことで６０個の組み合わせの六十干支とした干支表において、
十干の「甲、乙、丙、丁、戊、己、庚、辛、壬および癸」の１０個の文字に、「Ａ，ａ，Ｂ，ｂ，Ｃ，ｃ，Ｄ，ｄ，Ｅ，ｅ」の１０個のアルファベットをそれぞれ対応させ、
十二支の「子、丑、寅、卯、辰、巳、午、未、申、酉、戌および亥」の１２個の文字に、「１，２，３，４，５，６，７，８，９，１０，１１，１２」の１２個の数字をそれぞれ対応させることを特徴とした干支表。
【請求項２】
西暦の下２桁から２５を引いて西暦を昭和に変換する（平成になってからの場合は、さらに、下２桁から６３を引くと西暦が平成に変換される）方法と、陽となる十干の始まりとなる甲は９の年、０のつく年は甲の次の乙、その翌年の１のつく年は次の丙となることを基にして、昭和を基本（中心）とした年数からその年々の年号を計算する方法と、昭和元年は寅年から始まることを基本として、十二の倍数を年数から引くことで、陰となる十二支を求める方法と、から成ることを特徴とした年干支の計算方法。
【請求項３】
西暦の年数から１８６３を引く第１工程と、この引数を４で割る第２工程と、この割数に２１を掛ける第３工程と、この掛数から６０の倍数を引いていく第４工程と、引いて残った数字からマイナス４またはプラス５６の演算を行う第５工程と、出た答えの下１桁の数字は十干の順番であり、１２の倍数を取り除いた残りが十二支の順番となるものとした第６工程と、から成ることを特徴とした年干支の計算方法。
【発明の詳細な説明】
【技術分野】
【０００１】
本発明は、十干および十二支の組み合わせによる、六十干支の干支配列を備えた干支表および年干支の計算方法に関するものである。
【背景技術】
【０００２】
易学は、東洋の文明文化の基であり、数千年の歴史と共に研究開発が行われ続け、現在にも受け継がれている。その易学の根本となるのは、十干および十二支であり、それらが組み合わされてできる六十干支である。
【０００３】
東洋では、特に、中国・韓国・日本の「時」を表す歴は、十干および十二支による六十干支であり、それらは全て漢字の記号である。最も代表的なものは万年歴であり、その殆どが漢字の記号が用いられている。また、西洋式のカレンダーにおいても日付のみのもの以外に、六十干支が記載されたものもある。
【０００４】
先ず、十干および十二支を組み合わせてできる六十干支について説明すると、易学は陰陽五行説を物事全ての基本として十干および十二支が考え出されている。十干の１０個の文字、そして十二支の１２個の文字は、それぞれに深い意味があるのは勿論であるが、それらの文字の意味だけが十干および十二支の使用目的ではなく、十進法・十二進法の統計に用いられていたものでもある。
【０００５】
六十干支は、全て漢字で表されている。すなわち、「甲、乙、丙、丁、戊、己、庚、辛、壬および癸」の十干と、「子、丑、寅、卯、辰、巳、午、未、申、酉、戌および亥」の十二支と、をこの順に組み合わせてなり、年に対応した甲子、乙丑、寅丙、・・・、癸亥の順の配列で表示される。
【０００６】
十干は陰陽の陽（＋）とし、五行説の五行が陰陽に分かれて１０個の型が形成された「甲、乙、丙、丁、戊、己、庚、辛、壬および癸」の１０個の文字である。これらは、物を１０に分割する十進法の統計に用いられるものでもある。
【０００７】
十二支は陰陽の陰（−）とされ、十二進法の統計に用いられる「子、丑、寅、卯、辰、巳、午、未、申、酉、戌および亥」の１２個の文字である。そして、これら十干および十二支が組み合わされていくことで、６０個の組み合わせができ、それを六十干支と称するものである。
【０００８】
それらは、物を数えることや区分する為の使用目的が多く、それと同時に「時」の記号として使用され続け、年・月・日・時の全ての暦として用いられ続けている。
【０００９】
従来において、このような干支表としては、例えば、特許文献１に開示されているように、六十干支の干支表示を一列に配置した干支配列を備え、干支配列は、干支表示を支毎に纏めた十二の支区分を有することにより、六十干支と月との対応をより容易に把握することができる干支表なるものが存在する。
【００１０】
また、特許文献２に開示されているように、六十干支を十干の最初の［甲］と、十二支の最初の［子］の組合せである［甲子］を番号１として、最後の組合せである［癸亥］を番号６０とする、番号付きの『六十干支表』を設けたものが存在する。
【先行技術文献】
【特許文献】
【００１１】
【特許文献１】特開２００２−１８２７６１号公報
【特許文献２】特開２００７−２４１６８９号公報
【発明の概要】
【発明が解決しようとする課題】
【００１２】
しかしながら、従来における、例えば、特許文献１に示されるような干支表である場合のように、易学に使われる記号は全て漢字であるため、その漢字を理解できる国だけに易学の使用が限定されてしまう。
【００１３】
また、漢字を使う日本であっても特殊な易学用語の十干および十二支を読み書きできる人は非常に少なくなっていて、一定の年齢の人や専門知識のある人にしか読み書きできなくなっているのが実状である。
【００１４】
日本の国で古来から長く使われてきた漢字であってもそのような状況であるのだから、もし漢字を知らない他の国の人々が学ぼうとしても大変難しいことである。また、この何千年もの歴史のある学問を、今後研究開発してゆくことも不可能になってくる虞がある。すなわち、単に、６０個の六十進法だけで、何百年の東洋の歴の統計学を容易に完成させることができないのである。
【００１５】
また、特許文献２に示すように、単純に１から６０の番号を六十干支に配当する技術でさえも、六十干支をただ単に数える為だけのものとしてしか使えないのである。
【００１６】
つまり、最も簡潔のようであっても、六十干支の根本となる十干および十二支の意味が全く含まれなくなってしまう。このように、安易な番号を配当するのではなく、十干および十二支の区分を明確にできる記号でなくては、本来の六十干支ができあがる陰陽五行説が、何の意味も無くなってしまう。
【００１７】
さらに、現在の人口の殆どが昭和生まれの人が大半を占めており、日本国で日本人を対象とする環境であるため、どうしても日本の年号が必要となる。万国共通である西暦をそのまま使うことも可能であるが、上述した理由から、昭和を基本（中心）とした年干支の計算方法を使わなければならない。
【００１８】
そこで、本発明は如上のような従来存した諸事情に鑑み創出されたもので、十干および十二支の区分を明確にできる記号を採用することにより、本来の六十干支ができあがる陰陽五行説の意味を明確にして、易学を万国共通化させ、東洋以外の国々でも共通して使用できるようにした、干支表を提供すること、および、昭和を基本（中心）とした年干支の計算方法を提供することを目的とする。
【課題を解決するための手段】
【００１９】
本発明に係る干支表は、十進法の統計に用いられる十干は陰陽の陽（＋）とし、五行説の五行が陰陽に分かれて１０個の型が形成された「甲、乙、丙、丁、戊、己、庚、辛、壬および癸」の１０個の文字で表し、十二進法の統計に用いられる十二支は陰陽の陰（−）とされる「子、丑、寅、卯、辰、巳、午、未、申、酉、戌および亥」の１２個の文字であり、これら十干および十二支が組み合わされていくことで６０個の組み合わせの六十干支とした干支表において、
十干の「甲、乙、丙、丁、戊、己、庚、辛、壬および癸」の１０個の文字に、「Ａ，ａ，Ｂ，ｂ，Ｃ，ｃ，Ｄ，ｄ，Ｅ，ｅ」の１０個のアルファベットをそれぞれ対応させ、
十二支の「子、丑、寅、卯、辰、巳、午、未、申、酉、戌および亥」の１２個の文字に、「１，２，３，４，５，６，７，８，９，１０，１１，１２」の１２個の数字をそれぞれ対応させることにより、上述した課題を解決した。
【００２０】
また、本発明に係る年干支の計算方法は、西暦の下２桁から２５を引いて西暦を昭和に変換する（平成になってからの場合は、さらに、下２桁から６３を引くと西暦が平成に変換される）方法と、陽となる十干の始まりとなる甲は９の年、０のつく年は甲の次の乙、その翌年の１のつく年は次の丙となることを基にして、昭和を基本（中心）とした年数からその年々の年号を計算する方法と、昭和元年は寅年から始まることを基本として、十二の倍数を年数から引くことで、陰となる十二支を求める方法と、から成ることにより、同じく上述した課題を解決した。
【００２１】
さらに、西暦の年数から１８６３を引く第１工程と、この引数を４で割る第２工程と、この割数に２１を掛ける第３工程と、この掛数から６０の倍数を引いていく第４工程と、引いて残った数字からマイナス４またはプラス５６の演算を行う第５工程と、出た答えの下１桁の数字は十干の順番であり、１２の倍数を取り除いた残りが十二支の順番となるものとした第６工程と、から成ることにより、同じく上述した課題を解決した。
【発明の効果】
【００２２】
本発明に係る干支表は、十進法の統計に用いられる十干は陰陽の陽（＋）とし、五行説の五行が陰陽に分かれて１０個の型が形成された「甲、乙、丙、丁、戊、己、庚、辛、壬および癸」の１０個の文字で表し、十二進法の統計に用いられる十二支は陰陽の陰（−）とされる「子、丑、寅、卯、辰、巳、午、未、申、酉、戌および亥」の１２個の文字であり、これら十干および十二支が組み合わされていくことで６０個の組み合わせの六十干支とした干支表において、
十干の「甲、乙、丙、丁、戊、己、庚、辛、壬および癸」の１０個の文字に、「Ａ，ａ，Ｂ，ｂ，Ｃ，ｃ，Ｄ，ｄ，Ｅ，ｅ」の１０個のアルファベットをそれぞれ対応させ、
十二支の「子、丑、寅、卯、辰、巳、午、未、申、酉、戌および亥」の１２個の文字に、「１，２，３，４，５，６，７，８，９，１０，１１，１２」の１２個の数字をそれぞれ対応させることから、十干および十二支の区分を明確にできる記号を採用している。
【００２３】
その為、本来の六十干支ができあがる陰陽五行説の意味を明確にして、易学を万国共通化させ、東洋以外の国々でも共通して使用できるようにした干支表を提供することができる。
【００２４】
また、本発明に係る年干支の計算方法は、西暦の下２桁から２５を引いて西暦を昭和に変換する（平成になってからの場合は、さらに、下２桁から６３を引くと西暦が平成に変換される）方法と、陽となる十干の始まりとなる甲は９の年、０のつく年は甲の次の乙、その翌年の１のつく年は次の丙となることを基にして、昭和を基本（中心）とした年数からその年々の年号を計算する方法と、昭和元年は寅年から始まることを基本として、十二の倍数を年数から引くことで、陰となる十二支を求める方法と、から成ることから、昭和を基本（中心）とした年干支の計算方法を容易に提供することができる。
【００２５】
さらに、本発明に係る年干支の計算方法は、西暦の年数から１８６３を引く第１工程と、この引数を４で割る第２工程と、この割数に２１を掛ける第３工程と、この掛数から６０の倍数を引いていく第４工程と、引いて残った数字からマイナス４またはプラス５６の演算を行う第５工程と、出た答えの下１桁の数字は十干の順番であり、１２の倍数を取り除いた残りが十二支の順番となるものとした第６工程とから成るので、最も説明が困難な日の年干支による計算方法（特に、その年のスタートの日の計算）を容易に確立することができる。
【図面の簡単な説明】
【００２６】
【図１】漢字を使用した六十干支表を示す説明図である。
【図２】記号を使用した六十干支表の説明図である。
【図３】平成２０年の干支時計萬年暦の一例を表で示す説明図である。
【図４】各年の毎月の干支の計算方法を説明するための干支表である。
【図５】各年の毎月の干支の計算方法を説明するための年干による月の干支表である。
【図６】各年の毎月の干支の計算方法を説明するための日干による時間の干支表である。
【発明を実施するための形態】
【００２７】
以下に、本発明を実施するための形態を、図面を参照して説明する。
【００２８】
陰陽の陽（＋）である十干は十進法、陰（−）である十二支は十二進法であることが、易学の、または、東洋の統計学の基本である。
【００２９】
この統計学理論は素晴らしいものであり、その考えを覆すことはどんな理屈をもってしても不可能である。そのことを充分に理解した上で、新しい万国共通の記号を作るとしても、やはり元々のこの根本的理論を用いなくてはならない。
【００３０】
そして、陽（＋）の十干と、陰（−）の十二支の文字・記号が明確に区別できるもので、そのどちらもが万国共通の文字である必要がある。
【００３１】
そこで、本実施の形態では、アジア諸国や西洋諸国においても、また、南米であっても、何人でも読める万国共通の記号とした、最もオーソドックスなアルファベットと数字を、陽（＋）の十干と、陰（−）の十二支の漢字に代わる文字・記号として用いる。
【００３２】
すなわち、図１に示すように、従来使用されている六十干支表に記載された十干の「甲、乙、丙、丁、戊、己、庚、辛、壬および癸」の１０個の文字に、「Ａ，ａ，Ｂ，ｂ，Ｃ，ｃ，Ｄ，ｄ，Ｅ，ｅ」の１０個の大文字と小文字によるアルファベットをそれぞれ対応させる。例えば、「甲」は［Ａ］であり、「乙」は「ａ」に対応する等々である。
【００３３】
また、十二支の「子、丑、寅、卯、辰、巳、午、未、申、酉、戌および亥」の１２個の文字に、「１，２，３，４，５，６，７，８，９，１０，１１，１２」の１２個の数字をそれぞれ対応させる。例えば、「子」は［１］であり、「丑」は「２」に対応する等々である。
【００３４】
このように、十干にアルファベットの大文字と小文字、十二支に数字を用いて、六十干支の代わりとなるように、６０個の組み合わせを作る。これにより、図２に示すように、万国共通化させ、東洋以外の国々でも共通して使用することができる六十干支表が作成される。
【００３５】
このような配当の仕方とは逆に、十干に数字、十二支にアルファベットの大文字と小文字を配当させることも考えられるが、それでは、特に十二支の過去からの使われ方に逆らってしまう。
【００３６】
これに対し、上記したような時の記号としての使われ方が、十干は陽の天干として年を１０年ずつ区切り、そして十二支は陰の地干という役割で１年を１２等分する１月から１２月までを表す文字として使われる方が、陰陽五行説の形を或る程度維持できるのである。
【００３７】
既に、十干も十二支もそれぞれの漢字による文字の深い意味は忘れられつつあり、その文字の意味を研究したり学習したりする為には、本来の文字のままでないと不可能である。しかし、そこまでの深い意義までたどりつかなくても、陰陽五行説の根本である、十干・十二支の統計法は同じ成り立ちで構成した記号で同一の働きをすることが可能である。
【００３８】
次に、以上のように構成された実施の形態について、記号を採用した場合の干支表（干支時計萬年暦Ｐ）の一例について説明する。
【００３９】
干支時計萬年暦Ｐは、冊子となっており、大正元年から各年度毎に表されている。紙枚の都合上、平成２０年の干支時計萬年暦についてだけ説明するが、その他の各年度においても、記号の配当による使われ方は全て同じである。
【００４０】
すなわち、図３に示すように、表外の上段には、年号に対応する六十干支である「戌子」を記号化した「Ｃ１」を印してある。また、表の上から２段目の横列に、右から左へ各「月」を表している。四柱推命では一年の始まりは、２月の「節入り」の日（立春）からであって、立春より前は前年度となる（図３の「月」の行の最後に１月が表されている）。
【００４１】
尚、四柱推命では、月の始まりの日も一日からではなく、夫々の月の「節入り」の日から始まる。例えば、３月の始まりの日は「節入り」の日（５日頃（閏年があるのでずれが生じる））の「啓蟄」であり、「節入り」の日の前は、前の月となる。
【００４２】
干支時計萬年暦Ｐの上から３段目の横行には、上段の各「月」に対する六十干支が示されている。最右縦列の１乃至３１の数字は、「日」を表している。各「月」の縦列と、各「日」の横列の交わる位置に、当該日に対する六十干支を示している。例えば、２月の上段には、２月に対する六十干支である「甲寅」の「Ａ３」なる記号が印され、２月の縦列と、１日の横列の交わる位置に、当該日に対する六十干支である「辛未」の「ｄ８」なる記号が印されている。
【００４３】
こうして、記号を使った干支時計萬年暦Ｐが、万国共通のものとして各国で採用されることで、今後、東洋以外の人々が易学を学ぶことが可能となる。
【００４４】
次に、年干支を求める計算方法について詳細に説明する。
【００４５】
先ず、西暦を昭和に変換することから始める。すなわち、西暦の下２桁から２５を引くと、残りの数が昭和の年数となる。例えば、１９８０年の場合、下２桁の８０から２５を引くと５５、つまり昭和５５年という答えになる。平成になってからの場合は、同じように下２桁から２５を引き、さらに６３を引く（すなわち、合計８８を引く）。この６３を引く理由は、昭和は６４年目で平成に代わり、その為、６３年間分を引くことで平成の年号を知ることができるのである。例えば、１９９８年は下２桁から２５を引くと７３となり、そこから、さらに６３を引くと１０、すなわち平成１０年という答えになる。
【００４６】
次に、昭和を基本（中心）とした年数から、その年々の年号を計算する。陽となる十干は十進法である。その始まりとなる甲は９の年に必ず配当され、０のつく年は当然、甲の次の乙、そして、その翌年、１のつく年は、そのまた次の丙となる。このことから十干は十進法であり、十年ごとに同じことが繰り返されて行き、昭和の１のつく年は丙と覚えておくと計算が容易になる。先の例に挙げた１９８０年の場合、昭和の年数を求める計算をすると、昭和５５年となる。丙から数えて５番目、つまり、庚の年である。平成の場合も、先の例の１９９８年は下２桁から２５を引いて７３であるが、丙から数えて３番目の戊であると計算が可能となる。
【００４７】
次に、陰となる十二支の求め方について、昭和の計算方法に合わせて説明する。昭和元年は寅年から始まっており、それを基本として計算を行う。先の例の昭和５５年の場合、十二進法の計算として十二の倍数を年数から引く。５５は４８を引くことができ、残りは７となる。この７を寅から数えていくと、「寅、卯、辰、巳、午、未、申、…」というように７番目は申であると計算することができる。先の十干の答えと合わせて、１９８０年は昭和５５年であり、そして、庚申であると判明する。
【００４８】
次に、昭和とは関係のない、万国共通の場合の計算方法について説明する。
【００４９】
先ず、西暦の十干十二支の見つけ方について説明する。西暦から１８６３を引き、残った数の下１桁から甲を１番目としてカウントする。これが十干の記号である。十二支の見つけ方は、同じく１８６３を引いた残りの数から１２の倍数を引いていく。その残りの十二支の一番初めの子からカウントする。例えば、１９５５年は１８６３を引くと残りは９２、下１桁の２は甲から数えて２番目の乙となる。次に、同じく残りの９２から１２の倍数を引くとすると、８４を引くことができ、残りは８である。子から数えて８番目、つまり、未となり、１９５５年は乙未であると計算される。
【００５０】
このような計算方法の具体的な説明として、西暦から１８６３の数を引く理由は、明治は１８６８年の戊辰から始まるからである。すなわち、辰は十二支の５番目にあたり、その５を１８６８から引くことによって、カウントが子から数えられるように考え出された方法である。たまたま、運良くその５つ手前の年が、十干十二支がすべて最初の甲子の年にあたり、子から数えることが可能となると同時に、十干の一番最初の記号である甲からカウントすることが可能となる。
【００５１】
次に、各年の毎月の干支の計算方法について説明する。先ず、十干の特殊な性質について理解する必要がある。十進法の始まりとなる甲は、６番目の己と合体して「甲己」となるような特徴がある。また、２番目の乙は７番目の庚と合体して「乙庚」となる特徴がある。同じように、３番目の丙は、８番目の辛と合体して「丙辛」となる特徴がある。さらに、４番目の丁は、９番目の壬と合体して「丁壬」となる特徴がある。そして、５番目の戊は、１０番目の癸と合体して「戊癸」となる特徴がある。これは、十干の工程が５つ並ぶと、残り後半はその５つの並びに添えられていくものと考えても良い。単純に説明するとそのような表現となるが、専門的には、易学の全ての根本理論が陰陽五行説から作り上げられている基本原理を表す最も代表的なものである。
【００５２】
上記したように、十干の１０個の記号は５つのグループに分かれる。そして、それぞれのグループ、つまり、甲と己はその中に含まれる記号の動きが同質のものとなり、それは他の４組の組み合わせも同じである。先ず、１のグループである甲と己は、必ずその十二支のスタートは甲から十二支の子と共に発進していく。当然、甲から始まると１２番目の亥は乙である。２番目のグループとなる乙と庚は、陰の十二支の動きは丙から発進される。終わりの１２番目は、丁である。３番目のグループの「丙辛」は、戊から始まり己で終わる。４番目のグループの「丁壬」は、庚から始まり、辛で終わる。そして、５番目のグループとなる「戊癸」は、壬から発進され、癸で終わる。図４には、これが明瞭に判るように図表として示してある。
【００５３】
図４に示すように、ここで５つのグループのそれぞれの始まりの十干を見ると、１番目は甲、２番目は丙、３番目は戊、４番目は庚、５番目は壬である。つまり、陰陽五行説の五行、「木火土金水」の陽の十干がそれぞれ一番初めに順番に配当されている。この配当通り順に月の十干が決められており、これらの理論を熟知しておけば、各年の毎月の十干は直ぐに判明する。但し、子は１２月と考える。各グループの一番スタートとなる一番目、つまり子でありながら、しかし、その年の１２月ではなく、前年の１２月と考えなくてはいけない。なぜ、前年の１２月が翌年に配当されるのかの説明については、単純に考えると、昔の１２月は１月であったと考える。子が始まりのカウントでありながら、その年の始まりとしないというその間違えさえなければ、甲と己のつく年の１月は「乙丑」であり、翌年の２月は「丙寅」であると計算が明解に行える。例えば、４列目の「丁壬」の年の１月は、４列目なので「木火土金」の４番目の金から始まり、それは庚からスタートするのであるが、先の説明により１月の丑月は辛と考える。
【００５４】
ここで、もう一度、各年各月の計算例を、図５で示した年干による月の干支表に基づいて試しておく。西暦１９５６年の場合、先ず、下２桁から２５を引くと３１となり、昭和３１年であることが判る。１につく年は丙であると説明したように、やはり、この年は丙の年となる。
【００５５】
次に、十二支を求める場合には、３１から１２の倍数を引く。この場合は２４を引くことが可能で、残りが７となる。これにより、寅から数えて７番目の申年であることが判明する。先の計算で得た丙と合わせて１９５６年は、「丙申」である。この年の各月の干支については、丙の年は３番目のグループとなり、つまり、「木火土金水」の３番目、土から発進される年となる。その１月は己丑となり、２月は「庚寅」、３月は「辛卯」、と順に配当されている。
【００５６】
図６には、図５で示す月の干支表の時刻表（日干による時間の干支表）が示されている。このとき、十干の法則は、全ての時の記号に適用される。
【００５７】
次に、最も説明が困難な日の計算方法について説明する。この方法は、暗に日の計算と言うよりは、各年の１月１日、つまり、その年のスタートの日を計算する方法である。すなわち、第１工程では、西暦の年数から１８６３を引く。第２工程では、この引数を４で割る。第３工程では、この割数に２１を掛ける。第４工程では、この掛数から６０の倍数を引いていく。第５工程では、引いて残った数字からマイナス４またはプラス５６を演算する。第６工程では、出た答えの下１桁の数字は十干の順番であり、１２の倍数を取り除くことで、残りが十二支の順番となる。
【００５８】
例えば、１９５５年の場合では、第１工程：１９５５−１８６３＝９２、第２工程：９２÷４＝２３、第３工程：２３×２１＝４８３、第４工程：４８３−４８０＝３、第５工程：３＋５６＝５９となり、ここで、この下１桁の９は、十干の９番目を指し、すなわち壬となる。さらに、第６工程：５９−４８＝１１から、これは、子から数えて１１番目を指し、すなわち、戌となる。第５工程と第６工程とで得られた答えにより、１９５５年１月１日の干支記号は、「壬戌」であると計算される。
【産業上の利用可能性】
【００５９】
本発明に係る干支表は、六十干支未来予知カードや年数早見盤、あるいはカレンダー置物等の様々な干支表として、幅広く応用することができる。
【符号の説明】
【００６０】
Ｐ…干支時計萬年暦
【図１】
2010198052.tif 000003
【図２】
2010198052.tif 000004
【図３】
2010198052.tif 000005
【図４】
2010198052.tif 000006
【図５】
2010198052.tif 000007
【図６】
2010198052.tif 000008